(57)【特許請求の範囲】
【請求項１】
それぞれ略矩形板状に形成されたケース体を重ね合わせた状態で接合し、各ケース体の間に記録ディスクを回転自在に収納するカセットケースと、
前記カセットケースの側壁部に設けられ、前記記録ディスクの一部を露出させるウインド部と、
前記カセットケースの前端縁部に沿ってスライド可能に取り付けられ、前記ウインド部を開閉するシャッタと、
捩りコイルバネの両端を延長して形成した各延長端部の先端に、それぞれ屈曲部を形成し、第１の延長端部の屈曲部が、前記シャッタに設けた移動側係止部に係止されるとともに、第２の延長端部の屈曲部が、前記カセットケースの前記シャッタがウインド部を開成する方向に移動する側のコーナ部に設けた固定側係止部に係止され、前記ウインド部を閉成する方向にシャッタを付勢するシャッタバネと、
を有するディスクカセットにおいて、
前記固定側係止部は、前記各ケース体のうちの一方のケース体側に形成され、前記シャッタバネの第２の延長端部の屈曲部を係止する係止溝部と、前記各ケース体のうちの他方のケース体側に形成され、前記係止溝部より離脱したシャッタバネの第２の延長端部の屈曲部が、シャッタバネのバネ力によって伸長方向に変位することにより嵌合するロック溝部とで構成されている、
ことを特徴とするディスクカセット。
【請求項２】
前記係止溝部は、前記シャッタバネの第２の延長端部の屈曲部を装着する際に、この屈曲部の軌道にほぼ沿った方向に形成されていることを特徴とする請求項１記載のディスクカセット。
【請求項３】
前記他方のケース体に、前記係止溝部より離脱したシャッタバネの第２の延長端部の屈曲部を前記ロック溝部に導くガイド用リブを有し、前記ガイド用リブは、前記係止溝部の終端部と前記ロック溝部の入り口部をほぼ直線状に結ぶように形成されていることを特徴とする請求項１記載のディスクカセット。
【請求項４】
前記ロック溝部は、ディスクカセットを記録再生装置に装着した際の位置決め固定用の凹部を形成する円弧状リブの内壁面と、各ケース体をネジ止めするためのネジ孔を形成するボス部の外壁面との間に形成されていることを特徴とする請求項１記載のディスクカセット。
【請求項５】
前記他方のケース体に、前記係止溝部より離脱したシャッタバネの第２の延長端部の屈曲部を前記ロック溝部に導くガイド用リブを有し、前記ガイド用リブは、前記円弧状リブの接線方向に形成されていることを特徴とする請求項４記載のディスクカセット。
【請求項６】
前記シャッタバネの第２の延長端部の屈曲部が前記ロック溝部に嵌合した状態で、シャッタバネの一部が所定のリブに当接することにより、シャッタバネの屈伸動作が規制されるようにしたことを特徴とする請求項１記載のディスクカセット。
【請求項７】
前記所定のリブは、記録ディスクの外周を囲む外周リブであることを特徴とする請求項６記載のディスクカセット。
【請求項８】
前記各ケース体の前端部の両コーナ部には、カセットケースの前方にに突出して前記シャッタの移動範囲を制限する凸部を有し、この凸部に設けたリブと、前記コーナ部の内方側に設けたリブとの間に前記係止溝部が形成されていることを特徴とする請求項１記載のディスクカセット。
【請求項９】
前記シャッタは、前記カセットケースの前端縁部に沿って形成されたシャッタスライド溝に係合してガイドされ、前記カセットケースの前端縁部に沿ってスライド可能に取り付けられたスライダと、このスライダに一体に取り付けられて前記ウインド部を開閉するシャッタ板とを有することを特徴とする請求項１記載のディスクカセット。
【請求項１０】
前記スライダの端部は、前記ケース体のコーナ部に設けたリブと干渉しない形状に形成されていることを特徴とする請求項９記載のディスクカセット。
【発明の詳細な説明】
【０００１】
【発明の属する技術分野】
本発明は、磁気ディスク等の各種記録ディスクを収納したディスクカセットに関し、詳しくはディスクカセットに設けたシャッタを付勢するシャッタバネの取り付け構造に関するものである。
【０００２】
【従来の技術】
従来より、この種のディスクカセットにおいては、シェルと呼ばれる上下２枚のケース体を重ね合わせて一体化することにより、各ケース体の間に記録ディスクを挟持して回転自在に収容した構造のものが提供されている。
また、このディスクカセットでは、ケース体に記録再生用のウインド部を形成するとともに、このウインド部を閉成するシャッタが設けられている。
【０００３】
そして、このディスクカセットをディスクドライブ装置に装着して記録ディスクの記録再生を行う場合には、ディスクドライブ装置側の機構により、シャッタをスライドさせてウインド部より記録ディスクの記録面を露出させて記録再生を行う。
また、ディスクカセットをディスクドライブ装置より取り外すことにより、ディスクカセットに設けたシャッタバネにより、シャッタを移動して、ウインド部を閉成するようになっている。
【０００４】
このシャッタを復帰させるためのシャッタバネは、捩りコイルバネよりなり、一端をシャッタ側に係止するとともに、他端をディスクカセットの１つのコーナ部に係止したものであり、シャッタのスライド移動に伴って屈伸するようになっている。
すなわち、ウインド部を開成する際には、シャッタをコーナ部側に強制的にスライドすることで、バネの両端が互いに接近する方向にシャッタバネが屈曲し、ウインド部を閉成する際には、バネの両端が互いに離れる方向にシャッタバネが伸長し、シャッタをケースの中央方向に移動する。
【０００５】
また、シャッタバネの両端部は、Ｌ字形に屈曲され、シャッタ側に係止される端部がシャッタ板等に設けた係止孔に係止され、ケース側の端部が前述したコーナ部に設けたリブの間の係止溝に係止されている。
図５は、このようなケースのコーナ部に設けたシャッタバネの係止溝の従来例を示す平面図である。
この図５は、２枚のケース体のうちの一方のケース体２における前端縁部の右側コーナ部４を示しており、本図では示していないが、シャッタ板を設けたスライダは、ケース体２に形成したシャッタスライド溝２Ａに係合してガイドされ、ケース体２の前端縁部に沿って矢線Ｙ方向にスライドするようになっている。
【０００６】
また、コーナ部４には、ケース体２の前端縁部より前方に突出してシャッタの移動範囲を制限する凸部４Ａを有し、この凸部４Ａに設けたリブ４ａと、コーナ部４の内方側に設けたリブ４ｂとの間に、シャッタバネ６の屈曲部６ａを係止する係止溝８が形成されている。
係止溝８は、この係止溝８にシャッタバネ６を屈伸させて装着する際に、屈曲部６ａの軌道に沿った方向に形成され、屈曲部６ａをスムーズに導けるようになっている。また、リブ４ｂは、スライダの移動に対し、干渉しないよう、シャッタスライド溝２Ａを避けるようにして形成されている。
【０００７】
【発明が解決しようとする課題】
しかしながら、上記従来技術において、シャッタバネ６の装着作業時に、屈曲部６ａを適正に係止溝８に係止できない場合がある。
また、一旦適正に装着されたシャッタバネ６が、その後の製造工程において、例えば図５に矢線Ｚで示す方向に負荷を受けたために、屈曲部６ａが係止溝８より離脱する場合もある。
そして、このような場合、屈曲部６ａが図５に実線で示す適正な装着状態から破線で示すようにリブ４ｂの裏側に移動してしまう場合がある。
【０００８】
このような状態で、シャッタが動作できなくなれば、その時点で、シャッタバネ６が不正な状態であると判断でき、不良品と判断できる。
しかし、屈曲部６ａがリブ４ｂの裏側で一時的に安定した場合、シャッタバネ６が揺動可能な状態に保持されることとなり、最終的な検査工程で判断できない場合が生じる。
【０００９】
例えば図６に示すように、係止溝８より離脱したシャッタバネ６が、ケース体２と反対側のケース体５０のコーナ部５０Ａに形成された外周リブ５０ａの内壁面に当接して、摺動可能な状態で保持された場合には、一時的にシャッタバネ６が揺動可能で、あたかも適正な屈伸動作を行えるように判断されるため、シャッタバネ６の装着不良を検出できない。
このため、シャッタバネ６が離脱した状態のディスクカセットが不正に出荷されてしまう問題点があった。
【００１０】
そこで本発明の目的は、シャッタバネがケースの係止溝より離脱した場合に、その不正な状態を確実に検知することができるディスクカセットを提供することにある。
【００１１】
【課題を解決するための手段】
本発明は上記目的を達成するため、それぞれ略矩形板状に形成されたケース体を重ね合わせた状態で接合し、各ケース体の間に記録ディスクを回転自在に収納するカセットケースと、前記カセットケースの側壁部に設けられ、前記記録ディスクの一部を露出させるウインド部と、前記カセットケースの前端縁部に沿ってスライド可能に取り付けられ、前記ウインド部を開閉するシャッタと、捩りコイルバネの両端を延長して形成した各延長端部の先端に、それぞれ屈曲部を形成し、第１の延長端部の屈曲部が、前記シャッタに設けた移動側係止部に係止されるとともに、第２の延長端部の屈曲部が、前記カセットケースの前記シャッタがウインド部を開成する方向に移動する側のコーナ部に設けた固定側係止部に係止され、前記ウインド部を閉成する方向にシャッタを付勢するシャッタバネとを有するディスクカセットにおいて、前記固定側係止部は、前記各ケース体のうちの一方のケース体側に形成され、前記シャッタバネの第２の延長端部の屈曲部を係止する係止溝部と、前記各ケース体のうちの他方のケース体側に形成され、前記係止溝部より離脱したシャッタバネの第２の延長端部の屈曲部が、シャッタバネのバネ力によって伸長方向に変位することにより嵌合するロック溝部とで構成されていることを特徴とする。
【００１２】
本発明のディスクカセットにおいて、シャッタバネの第２の延長端部の屈曲部が係止溝部より離脱した場合、シャッタバネのバネ力によって伸長方向に変位し、ロック溝部に嵌合することで、シャッタバネは、その揺動を規制された状態でロックされる。したがって、この状態では、シャッタが適正なスライド動作を行うことができず、不良状態を容易かつ確実に検知できる。
【００１３】
【発明の実施の形態】
次に、本発明によるディスクカセットの実施の形態例について説明する。
図１は、本例のディスクカセットにおいて、シャッタバネ装着部の係止溝より離脱したシャッタバネをロックするための構成例を示す要部正面図である。
また、図２（１）（２）は、本例における前記シャッタバネ装着部の構成を示す要部正面図であり、図２（１）は、上側ケース体のコーナ部を示し、図２（２）は、下側ケース体のコーナ部を示している。
さらに、図３は、本例におけるディスクカセットの全体構成を示す概略斜視図である。
【００１４】
本例のディスクカセットは、図３に示すように、それぞれ合成樹脂によりほぼ正方形の板状に形成された上側ケース体（ｕｐｐｅｒ  ｓｈｅｌｌ）１０と下側ケース体（ｌｏｗｅｒ  ｓｈｅｌｌ）１２とを互いに重ね合わせるようにねじ止めし、各ケース体１０、１２の間に記録ディスク１４を回転自在に収容するものである。
各ケース体１０、１２には、記録ディスク１４の記録面１４ａを露出させて所定の記録ヘッド（図示せず）により情報の記録再生を行うためのウインド部１０ａ、１２ａが形成されている。
【００１５】
また、下側ケース体１２には、ウインド部１２ａに連続して記録ディスク１４のセンターハブ１４ｂを装着するハブ受け孔部１２ｂが形成されている。
また、この下側ケース体１２には、記録ディスク１４のセンターハブ１４ｂを受ける円形のリブ１２ｂと、記録ディスク１４の外周を囲むディスク収容部を構成する外周リブ１２ｃが設けられている。
【００１６】
なお、図３では示していないが、上側ケース体１０にも、リブ１２ｂと同形状で、記録ディスク１４のセンターハブ１４ｂを受ける円形のリブが設けられている。また、上側ケース体１０にも、外周リブ１２ｃと同形状で、記録ディスク１４の外周を囲む円形のリブが設けられており、下側ケース体１２の外周リブ１２ｃと重なることで、ディスク収容部が構成される。
また、各ケース体１０、１２には、上述したリブの他、多数の補強用リブが一体形成されている。また、各ケース体１０、１２の間には、記録ディスク１４の誤消去防止用のライトプロテクタ４２が配設される。
【００１７】
また、各ケース体１０、１２を接合して一体化したケースの前端縁部には、その幅方向に長手形状を有するスライダ１６が装着されており、このスライダ１６には、前記各ウインド部１０ａ、１２ａおよびハブ受け孔部１２ｂを閉成するためのシャッタ板１８がネジ止めされる。
スライダ１６は、ケース体１０、１２の前端縁部に形成したシャッタスライド溝に係合する係合片１６ａを有し、シャッタスライド溝にガイドされて、ケースの前端縁部に沿ってスライドするようになっている。なお、図３では、ケース体１２側のシャッタスライド溝１２ｄだけを示している。
また、シャッタ板１８は、スライダ１６へのねじ止め装着部１８ａの両側に、ケースの上下両面に延出した略長方形状のシャッタ板部１８ｂ、１８ｃを設けたものである。
なお、ケース体１２には、長尺に形成されたシャッタ板部１８ｃの先端部を安定させるためのシャッタガイド４０が装着される。
【００１８】
また、ケース体１０、１２の前端縁部の両側のコーナ部１０Ａ、１０Ｂ、１２Ａ、１２Ｂには、スライダ１６のスライド移動範囲を制限する凸部１０ｃ、１０ｄ、１２ｅ、１２ｆが設けられている。
そして、ケース体１０、１２のシャッタがウインド部１０ａを開成する方向に移動する側のコーナ部１０Ａ、１２Ａと、シャッタのスライダ１６との間には、シャッタバネ２２が設けられている。このシャッタバネ２２は、シャッタ板１８およびスライダ１６がウインド部１０ａ、１２ａを開成する方向に移動して、コーナ部１０Ａ、１２Ａ側に接近した際に、シャッタ板１８およびスライダ１６にバネ力を付与し、ウインド部１０ａ、１２ａを閉成する方向に付勢するものである。
【００１９】
シャッタバネ２２は、図４（１）（２）に示すように、捩りコイルバネ状に形成されており、コイル部２２Ａの両端を延長して形成した各延長端部２２Ｂ、２２Ｃの先端に、それぞれ屈曲部２２ｂ、２２ｃを形成したものである。
そして、第１の延長端部２２Ｂの屈曲部２２ｂは、前記スライダ１６の一方の端部１６Ａを切り欠いて形成した移動側係止部に係止されている。なお、移動側係止部は、シャッタ板１８によって覆われ、屈曲部２２ｂの離脱防止が図られている。
【００２０】
一方、第２の延長端部２２Ｃの屈曲部２２ｃは、コーナ部１０Ａ、１２Ａに設けた固定側係止部に係止される。
この固定側係止部は、図２（１）に示すように、コーナ部１０Ａに、屈曲部２２ｃを係止する係止溝部２８を形成したものである。この係止溝部２８は、コーナ部１０Ａの凸部１０ｅに設けたリブ２４と、コーナ部１０Ａの内方側に設けたリブ２６との間に形成されている。また、ケース体１０の外周に設けたリブ３０が、各リブ２４、２６と連続しており、リブ３０の内側に係止溝部２８の終端部が位置している。
また、係止溝部２８は、この係止溝部２８にシャッタバネ２２を屈伸させて装着する際に、屈曲部２２ｃの軌道に沿った方向に形成され、屈曲部２２ｃをスムーズに導けるようになっている。
なお、係止溝部２８の終端部は鍵状に屈曲形成され、屈曲部２２ｃの抜け止めする形状となっている。
【００２１】
また、固定側係止部は、図１および図２（２）に示すように、ケース体１２のコーナ部１２Ａに、ケース体１０の係止溝部２８から離脱した第２の延長端部２２Ｃの屈曲部２２ｃをロックするためのロック溝部４４を有する。
このロック溝部４４は、ケース体１２の外周に設けたリブ４６の凹状円弧部４６Ａのケース内方側の周面と、各ケース体１０、１２をネジ止め結合するためのネジ装着用のボス部４８の外周面との間を切り込んだ状態で形成されている。
なお、凹状円弧部４６Ａは、このディスクカセットを記録再生装置に装着した際に、この記録再生装置内でディスクカセットを位置決め保持する機構のロック部材（図示せず）が嵌合するためのものである。
【００２２】
また、ケース体１２のコーナ部１２Ａと凹状円弧部４６Ａの頂部との間には、係止溝部２８から離脱した第２の延長端部２２Ｃの屈曲部２２ｃをロック溝部４４に導くためのガイド用リブ５２が設けられている。
このガイド用リブ５２は、ケース体１０の係止溝部２８の終端部とロック溝部４４の入り口部とを結ぶように形成されており、図示の例では、ケース１０の前端縁部と直交する方向に形成されている。
【００２３】
以上のような構成において、シャッタバネ２２の第２の延長端部２２Ｃの屈曲部２２ｃが、係止溝部２８に装着し損なったり、装着後に離脱した場合、係止溝部２８の終端部より離脱した屈曲部２２ｃは、ガイド用リブ５２に受け止められる。ここで、シャッタバネ２２の伸長する方向のバネ力によって、屈曲部２２ｃはガイド用リブ５２に沿ってスライドし、凹状円弧部４６Ａの周面を経てロック溝部４４に導かれ、さらに、シャッタバネ２２のバネ力により、ロック溝部４４に嵌合する。
この状態で、シャッタバネ２２のコイル部２２が、図１に示すように、ディスク収容部の外周リブ１２ｃに当接する。これにより、シャッタバネ２２は、ロック溝部４４と外周リブ１２ｃの間で移動をロックされ、伸縮不能な状態となる。したがって、この状態では、シャッタ板１８およびスライダ１６は動作できず、シャッタバネ２２の装着不良状態を容易に判定できる。
【００２４】
なお、以上のように、シャッタバネ２２をロック溝部４４と外周リブ１２ｃでロックするには、コイル部２２Ａから屈曲部２２ｃまでの長さＬ１を、外周リブ１２ｃの当接位置からロック溝部４４の中途部までの距離Ｌ２に合わせることが必要である。
具体的には、長さＬ１が距離Ｌ２より大きければ、屈曲部２２ｃがロック溝部４４に導かれないままガイド用リブ５２に停まり、シャッタバネ２２が揺動可能となってしまうため、長さＬ１を少なくとも距離Ｌ２より等しいか、若干小さい値とする必要がある。
【００２５】
なお、以上の説明では、シャッタバネ２２をロック溝部４４と外周リブ１２ｃで固定するようにしたが、ロック溝部４４と他のリブとにより固定するようにしてもよい。例えば、シャッタバネ２２を固定するための専用のリブを設けてもよい。
また、上述したシャッタバネ２２の第１の延長端部２２Ｂの屈曲部２２ｂは、スライダ１６に形成した移動側係止部に係止したが、同様の係止部をシャッタ板１８に設けてもよい。
【００２６】
【発明の効果】
以上説明したように、本発明では、カセットケースのコーナ部に設けたシャッタバネの固定側係止部に、シャッタバネの第２の延長端部の屈曲部を係止する係止溝部と、この係止溝部より離脱した屈曲部が嵌合するロック溝部を設け、装着し損なったり、装着後に離脱したシャッタバネをロックするようにした。
このため、シャッタバネは、その揺動を規制された状態でロックされ、この状態では、シャッタが適正なスライド動作を行うことができないので、不良状態を容易かつ確実に検知することが可能となる。
したがって、シャッタバネ外れを検出するための特殊な工程を設けることなく、通常の作業工程でシャッタバネ外れを検知でき、製造コストの増大を招くことなく、製品の信頼性を確保できる。また、不良商品の市場流出を阻止でき、商品イメージの向上にも貢献できる。
【図面の簡単な説明】
【図１】本発明によるディスクカセットにおいて、シャッタバネをロックするための構成例を示す要部正面図である。
【図２】図１に示すディスクカセットのシャッタバネ装着部の構成例を示す要部正面図である。
【図３】図１に示すディスクカセットの全体構成を示す概略斜視図である。
【図４】図１に示すディスクカセットのシャッタバネを示す平面図および側面図である。
【図５】従来のディスクカセットのシャッタバネ装着部の構成例を示す要部正面図である。
【図６】図５に示す従来のディスクカセットにおいて、シャッタバネが離脱した場合の状態を示す要部正面図である。
【符号の説明】
１０、１２……ケース体、１０ａ、１２ａ……ウインド部、１０Ａ、１０Ｂ、１２Ａ、１２Ｂ……コーナ部、１０ｃ、１０ｄ、１２ｅ、１２ｆ……凸部、１４……記録ディスク、１６……スライダ、１８……シャッタ板、２２……シャッタバネ、２２Ｂ、２２Ｃ……延長端部、２２ｂ、２２ｃ……屈曲部、２８……係止溝部、４４……ロック溝部、４６Ａ……凹状円弧部、４８……ボス部、５２……ガイド用リブ。
【図１】
0003543512.tif 000002
【図２】
0003543512.tif 000003
【図３】
0003543512.tif 000004
【図４】
0003543512.tif 000005
【図５】
0003543512.tif 000006
【図６】
0003543512.tif 000007